(57)【特許請求の範囲】
【請求項１】
編集対象の素材であるナレーションを編集するための編集装置において、
上記ナレーションの記録を開始する記録開始位置及び当該記録を終了する記録終了位置をタイムラインカーソルによってタイムライン上に指定する記録指定手段と、
上記記録開始位置から遡った上記タイムライン上のプレビュー開始位置を当該タイムライン上に指定するプレビュー指定手段と、
複数の上記素材の中から上記ナレーションを上記編集対象として選択するナレーション選択手段と、
上記ナレーション選択手段により選択された上記ナレーションを貼り付けるための音声ラインを指定する音声ライン指定手段と、
上記プレビュー開始位置から上記記録開始位置までのプリロール時に第１の印部を表示画面に点滅させ、上記記録開始位置から上記記録終了位置までの上記ナレーションの記録中は第２の印部を上記表示画面に点滅させ、上記記録終了位置から以降のポストロール時には第３の印部を上記表示画面に点滅させる表示制御手段と、
オペレータの操作に応じ、上記表示画面における上記第１の印部、上記第２の印部及び上記第３の印部の点滅状態を上記オペレータに視認させながら上記選択手段によって選択された上記ナレーションを上記音声ライン上の上記記録開始位置に貼り付けて上記ナレーションの記録を開始する記録手段と
を具えることを特徴とする編集装置。
【請求項２】
編集対象の素材であるナレーションを編集するための編集方法において、
上記ナレーションの記録を開始する記録開始位置及び当該記録を終了する記録終了位置をタイムラインカーソルによってタイムライン上に指定する記録指定ステップと、
上記記録開始位置から遡った上記タイムライン上のプレビュー開始位置をタイムライン上に指定するプレビュー指定ステップと、
複数の上記素材の中から上記ナレーションを上記編集対象として選択するナレーション選択ステップと、
上記ナレーション選択ステップにより選択された上記ナレーションを貼り付けるための音声ラインを指定する音声ライン指定ステップと、
上記プレビュー開始位置から上記記録開始位置までのプリロール時に第１の印部を点滅させ、上記記録開始位置から上記記録終了位置までの上記ナレーションの記録中は第２の印部を点滅させ、上記記録終了位置から以降のポストロール時には第３の印部を点滅させるように表示画面を制御する表示ステップと、
オペレータの操作に応じ、上記表示画面における上記第１の印部、上記第２の印部及び上記第３の印部の点滅状態を上記オペレータに視認させながら上記選択ステップによって選択された上記ナレーションを上記音声ライン上の上記記録開始位置に貼り付けて上記ナレーションの記録を開始する記録ステップと
を具えることを特徴とする編集方法。
【発明の詳細な説明】
【０００１】
【発明の属する技術分野】
本発明は編集装置及び編集方法に関し、素材のデータをディスクに記録してノンリニア編集を実行する編集装置に適用して好適なものである。
【０００２】
【従来の技術】
近年、ビデオカメラから得られたビデオテープを編集するポストプロダクションの分野においては、素材のデータを記録する記録媒体としてディスクを使用したノンリニア編集処理を行う編集装置が提案されている。この編集装置において行われる編集処理としては、さまざまな種類の編集処理が存在している。例えば、複数の素材をつなぎ合わせて所望のビデオプログラムを作成するためのビデオ編集処理や、キー信号によって複数の素材を合成するための合成処理や、素材に対して特殊効果処理を施す特殊効果処理が存在する。
【０００３】
【発明が解決しようとする課題】
ところでかかる構成の編集装置においては、ビデオテープから再生される素材データをハードディスクに記録することによってノンリニア編集処理を行うものが提案されている。この編集装置では、例えばハードディスクに記録されている音声素材に応じたナレーションを新たに生成してこれをハードディスクに記録するような編集処理を行う場合がある。
【０００４】
このような編集処理を実現するためには、ハードディスクに記録されている音声素材をプレビュー（再生）するプレビュー用の編集装置と、ナレーションのような音声素材を生成する素材生成用の編集装置とを別々に用意しておき、プレビュー用の編集装置からプレビューされる音声素材を聴きながら、素材生成用の編集装置によって音声素材を生成したり、又はハードディスクに記録されている音声素材をプレビューすることなく独立してナレーションを生成しなければならず、編集作業の効率が悪い問題があった。
【０００５】
本発明は以上の点を考慮してなされたもので、従来に比して一段と編集作業効率を向上し得る編集装置及び編集方法を提案しようとするものである。
【０００６】
【課題を解決するための手段】
かかる課題を解決するため本発明においては、編集対象の素材であるナレーションを編集するための編集装置において、ナレーションの記録を開始する記録開始位置及び当該記録を終了する記録終了位置をタイムラインカーソルによってタイムライン上に指定する記録指定手段と、記録開始位置から遡ったタイムライン上のプレビュー開始位置をタイムライン上に指定するプレビュー指定手段と、複数の素材の中からナレーションを編集対象として選択するナレーション選択手段と、ナレーション選択手段により選択されたナレーションを貼り付けるための音声ラインを指定する音声ライン指定手段と、プレビュー開始位置から記録開始位置までのプリロール時に第１の印部を表示画面に点滅させ、記録開始位置から記録終了位置までのナレーションの記録中は第２の印部を表示画面に点滅させ、記録終了位置から以降のポストロール時には第３の印部を表示画面に点滅させる表示制御手段と、オペレータの操作に応じ、表示画面における第１の印部、第２の印部及び第３の印部の点滅状態をオペレータに視認させながら選択手段によって選択されたナレーションを音声ライン上の記録開始位置に貼り付けてナレーションの記録を開始するようにした。
【０００７】
この結果、本願発明の編集装置では、オペレータの操作に応じ、表示画面における第１の印部、第２の印部及び第３の印部の点滅状態をオペレータに視認させながら選択されたナレーションを指定された音声ラインの記録開始位置に貼り付けて記録を開始することができるので、ナレーションの編集効率を向上させることができる。
【０００８】
【発明の実施の形態】
以下図面について、本発明の一実施の形態を詳述する。
【０００９】
（１）編集装置の構成
図１において、１は全体として本実施の形態による編集装置を示し、ビデオテープに記録された映像音声の所望部分をクリップとして登録し得る一方、このとき所望のクリップの映像信号及び音声信号をハードディスク装置２に取り込み得るようになされている。
【００１０】
またこの編集装置１では、登録された各クリップを所望状態に繋ぎ合わせて所望の編集映像音声を得るための編集内容を規定した編集データを作成でき、さらにこの作成した編集データに従って実際に編集処理を実行することができるようになされている。
【００１１】
すなわちこの編集装置１においては、コンピュータ３、システム制御部４、映像入力部５、映像出力部６、ディジタル映像音声入出力部７、映像特殊効果処理部８、音声入出力／ミキサ部９及びディスク制御部１０がコントロールバス１１を介して接続されることにより構成されている。
【００１２】
この場合コンピュータ３は、初期時、ディスプレイ１２に所定の操作画面（以下、これをメイン画面と呼ぶ）を表示させる。またコンピュータ３は、この状態においてマウス１３が操作されることにより、クリップ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００１３】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００１４】
この結果このビデオテープレコーダ１４Ａ〜１４Ｄからはアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部５又は音声入出力／ミキサ部９に与えられ、ディジタル映像信号Ｓ４及びディジタル音声信号Ｓ５がディジタル映像音声入出力部７に与えられる。
【００１５】
このときシステム制御部４は、コントロールバス１１を介して映像入力部５及び音声入出力／ミキサ部９と、ディジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００１６】
かくして映像入力部５を介してアナログ映像信号Ｓ２が取り込まれた場合には、これが映像入力部５においてディジタル変換された後ディジタル映像信号Ｓ６として映像特殊効果処理部８に与えられ、ディジタル映像音声入出力部７を介してディジタル映像信号Ｓ４が取り込まれた場合には、これがそのまま映像特殊効果処理部８に与えられる。
【００１７】
このとき映像特殊効果処理部８は、システム制御部４の制御のもとに、映像入力部５又はディジタル映像音声入出力部７から供給されるディジタル映像信号Ｓ６、Ｓ４をコンピュータ３に送出する。かくしてこのときディスプレイ１２には、システム制御部４の制御のもとにディジタル映像信号Ｓ６、Ｓ４に基づく映像がメイン画面上の所定位置に表示される。
【００１８】
またこのときアナログ音声信号Ｓ３が取り込まれた場合には、これがそのまま音声入出力／ミキサ部９からスピーカＳＰに送出され、またディジタル音声信号Ｓ５が取り込まれた場合には、これが音声入出力／ミキサ部９においてアナログ変換された後、スピーカＳＰに送出される。
【００１９】
これによりこの編集装置１では、ディスプレイ１２に表示された映像及びスピーカＳＰから出力される音声に基づいて、オペレータがマウス１３及びキーボード１５を用いて映像及び音声の所望部分を指定することができ、さらにこれをクリップとしてそのイン点及びアウト点のタイムコードや素材長（デュレーション）等の関連データをコンピュータ３内に登録することができるようになされている。
【００２０】
このときコンピュータ３は、予め取込みモードが選択されている場合には、これに応じた制御コマンドＣ１をシステム制御部４に送出する。
【００２１】
システム制御部４は、供給される制御コマンドＣ１に基づいて、対応するビデオテープレコーダ１４Ａ〜１４Ｄに制御信号Ｓ１を送出することにより、登録されたクリップの映像音声を当該ビデオテープレコーダ１４Ａ〜１４Ｄに再生させる一方、映像入力部５及び音声入出力／ミキサ部９と、ディジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、ディジタル映像信号Ｓ４及びディジタル音声信号Ｓ５とのうちのいずれか一方を取り込ませる。
【００２２】
この結果映像入力部５を介してアナログ映像信号Ｓ２が取り込まれた場合には、これが映像入力部５においてディジタル変換された後ディジタル映像信号Ｓ６として映像特殊効果処理部８を介してディスク制御部１０に送出され、ディジタル映像音声入出力部７を介してディジタル映像信号Ｓ４が取り込まれた場合には、これがそのままディスク制御部１０に送出される。
【００２３】
またこのとき音声入出力／ミキサ部９を介してアナログ音声信号Ｓ３が取り込まれた場合には、これが音声入出力／ミキサ部９においてディジタル変換された後ディジタル音声信号Ｓ７としてディスク制御部１０に送出され、ディジタル映像音声入出力部９を介してディジタル音声信号Ｓ５が取り込まれた場合には、これが直接ディスク制御部１０に送出される。
【００２４】
そしてディスク制御部１０は、このときシステム制御部４からコントロールバス１１を介して与えられるコマンドに基づいて、映像特殊効果処理部８又はディジタル映像音声入出力部７から与えられるディジタル映像信号Ｓ６、Ｓ４と、音声入出力／ミキサ部９又はディジタル映像音声入出力部７から与えられるディジタル音声信号Ｓ７、Ｓ５とを順次取り込み、これらをハードディスク装置２に与えてハードディスクの指定されたアドレス位置に記録させる。
【００２５】
このようにしてこの編集装置１においては、登録されたクリップの映像音声をビデオテープから再生してハードディスク装置２に取り込むことができるようになされている。
【００２６】
一方コンピュータ３は、上述のようにしてクリップが登録されると、ディスプレイ１２に表示されているメイン画面内に、登録されたクリップのリストを表示させる。
【００２７】
そしてオペレータは、このメイン画面を用いてどのクリップとどのクリップとをどのように繋ぎ合わせるかといった編集内容を規定した編集データを編集リストとして作成することができる。またオペレータは、編集リストの作成後又は作成途中において、その編集リストに基づく編集映像及び編集音声を確認することができる。
【００２８】
実際上、コンピュータ３は、編集リストの作成後又は作成途中において、その編集リストに基づく編集映像音声のプレビューモードが選択されると、これに応じた制御コマンドＣ１をシステム制御部４に送出する。
【００２９】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリップの映像音声を再生させる一方、必要に応じてコントロールバス１１を介してディスク制御部１０を制御することにより、編集処理に利用するクリップの映像音声をハードディスク装置２から再生させる。
【００３０】
この結果このビデオテープレコーダ１４Ａ〜１４Ｄからは指定されたクリップのアナログ映像信号Ｓ２及びアナログ音声信号Ｓ３と、ディジタル映像信号Ｓ４及びディジタル音声信号Ｓ５とが出力され、アナログ映像信号Ｓ２及びアナログ音声信号Ｓ３がそれぞれ映像入力部５又は音声入出力／ミキサ部９に与えられ、ディジタル映像信号Ｓ４及びディジタル音声信号Ｓ５がディジタル映像音声入出力部７に与えられる。
【００３１】
このときシステム制御部４は、コントロールバス１１を介して映像入力部５及び音声入出力／ミキサ部９と、ディジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、ディジタル映像信号Ｓ４及びディジタル音声信号Ｓ５とのうちのいずれか一方のみを取り込ませる。
【００３２】
かくして映像入力部５を介してアナログ映像信号Ｓ２が取り込まれた場合には、これが映像入力部５においてディジタル変換された後ディジタル映像信号Ｓ６として映像特殊効果処理部８に与えられ、ディジタル映像音声入出力部７を介してディジタル映像信号Ｓ４が取り込まれた場合には、これがそのまま映像特殊効果処理部８に与えられる。
【００３３】
このとき映像特殊効果処理部８は、システム制御部４の制御のもとに、供給される各クリップのディジタル映像信号Ｓ６、Ｓ４を必要に応じて指定された状態に特殊効果加工処理する。また映像特殊効果処理部８は、このとき主制御部４から必要に応じて与えられるタイトル文字や各種グラフィック等の画像データを各クリップのディジタル映像信号Ｓ６、Ｓ４間に挿入し、又はディジタル映像信号Ｓ６、Ｓ４に重畳し、かくして得られたディジタル編集映像信号Ｓ８を映像出力部６に送出する。
【００３４】
そして映像出力部６は、システム制御部４の制御のもとに、供給されるディジタル編集映像信号Ｓ８をアナログ変換し、得られた編集映像信号Ｓ９をモニタ１６に送出する。
【００３５】
一方このときビデオテープレコーダ１４Ａ〜１４Ｄから出力されたアナログ音声信号Ｓ３及びディジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカＳＰに送出され、ディジタル映像音声入出力部７を介してディジタル音声信号Ｓ５が取り込まれた場合には、これが音声入出力／ミキサ部９においてアナログ変換され、ミキシング等の編集処理が施された後、編集音声信号としてスピーカＳＰに送出される。
【００３６】
この結果この編集装置１においては、モニタ１６に編集映像信号Ｓ９に基づく編集映像が表示されると共にスピーカＳＰから編集音声信号に基づく編集音声が出力され、かくしてオペレータが編集リストに基づく編集映像及び編集音声を確認することができるようになされている。
【００３７】
さらにコンピュータ３は、編集リストが作成された後、マウス１３又はキーボード１５が操作されてその実行命令が入力されると、これに応じた制御コマンドＣ１をシステム制御部４に送出する。
【００３８】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリップの映像音声を再生させる一方、必要に応じてコントロールバス１１を介してディスク制御部１０を制御することにより、ハードディスク装置２から編集処理に利用するクリップの映像音声を再生させる。
【００３９】
この結果上述のプレビューモード時と同様にして、映像特殊効果処理部８に、ビデオテープレコーダ１４Ａ〜１４Ｄから映像入力部５若しくはディジタル映像音声入出力部７を経由して必要なクリップのディジタル映像信号Ｓ６、Ｓ４が与えられ、又はハードディスク装置２からディスク制御部１０を経由して必要なクリップのディジタル映像信号Ｓ６、Ｓ４が与えられる。
【００４０】
またこのとき音声入出力／ミキサ部９には、ビデオテープレコーダ１４Ａ〜１４Ｄから直接若しくはディジタル映像音声入出力部７を経由して必要なクリップのアナログ音声信号Ｓ３若しくはディジタル音声信号Ｓ５が与えられ、又はハードディスク装置２からディスク制御部１０を経由して必要なクリップのディジタル音声信号Ｓ７、Ｓ５が与えられる。
【００４１】
そして映像特殊効果処理部８は、システム制御部４の制御のもとに、上述のプレビューモード時と同様にして、供給される各クリップのディジタル映像信号Ｓ６、Ｓ４を必要に応じて特殊効果加工処理し、かくして得られた編集映像の映像信号でなるディジタル編集映像信号Ｓ８を映像出力部６に送出する。
【００４２】
このとき映像出力部６は、システム制御部４の制御のもとに、供給されるディジタル編集映像信号Ｓ８をアナログ変換し、得られた編集映像信号Ｓ９を対応するビデオテープレコーダ１４Ａ〜１４Ｄに送出する。
【００４３】
またこのとき音声入出力／ミキサ部９は、システム制御部の制御のもとに、上述のプレビューモード時と同様にして、供給される各クリップのアナログ音声信号Ｓ２又はディジタル音声信号Ｓ５、Ｓ７に対して必要に応じてミキシング等の編集処理を施し、かくして得られた編集音声信号Ｓ１０を対応するビデオテープレコーダ１４Ａ〜１４Ｄに送出する。
【００４４】
このときこのビデオテープレコーダ１４Ａ〜１４Ｄには、システム制御部４から制御信号Ｓ１が与えられており、かしくて当該ビデオテープレコーダ１４Ａ〜１４Ｄは、この制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００４５】
また、音声入出力／ミキサ部９は、マイクＭＫによって集音された音声信号が入力されるようになされており、当該マイクＭＫを介して入力された音声信号に対してミキシング等の編集処理を施した後、編集音声信号としてディスク制御部１０を介してハードディスク装置２に記録したり、スピーカＳＰから外部に出力するようになされている。
【００４６】
このようにしてこの編集装置１では、作成された編集リストに従って指定されたクリップの映像音声を指定された状態に編集加工してビデオテープに記録することができるようになされている。
【００４７】
（２）編集装置における記録再生系の構成
ここで編集装置１における記録再生系の構成について図２を用いて説明する。ディスク制御部１０は、ハードディスク装置２が２枚の再生用ディスクと１枚の記録用ディスクとを有していることから、２枚の再生用ディスクに記録されているデータの再生をそれぞれ制御するディスク再生制御部１０Ａ及び１０Ｂと、記録用ディスクに対するデータの記録を制御するディスク記録制御部１０Ｃとから構成されている。また編集装置１は、ナレーションのような音声信号を入力する入力手段としてのマイクＭＫを有しており、当該マイクＭＫを介して音声を音声入出力／ミキサ部９に入力し得るようになされている。
【００４８】
音声入出力／ミキサ部９は、オーディオミキサ９Ａ〜９ＤとバスＢでなるルーティング回路９Ｅとから構成されており、ミキシング等の編集処理を施すようになされている。その際、音声入出力／ミキサ部９は、システム制御部４から供給される制御コマンドに基づいて、オーディオミキサ９Ａ〜９Ｄとルーティング回路９Ｅのバスとの接続関係を示すバスアサイン（すなわちクロスポイント）を変更し得るようになされている。
【００４９】
かくしてディスク再生制御部１０Ａは、ハードディスク装置２内部に存在する２枚の再生用ディスクのうち、一方の再生用ディスクを制御することにより当該再生用ディスクからチャンネルＣｈ１〜Ｃｈ４の音声信号を再生し、当該チャンネルＣｈ１〜Ｃｈ４の音声信号を音声入出力／ミキサ部９のオーディオミキサ９Ａに送出する。
【００５０】
オーディオミキサ９Ａは、ディスク再生制御部１０Ａから供給されるチャンネルＣｈ１〜Ｃｈ４の音声信号のうち、チャンネルＣｈ１及びＣｈ３の音声信号をミキシングして、当該ミキシングした音声信号をルーティング回路９Ｅ内のバスＢのチャンネルＣｈ３に送出すると共に、チャンネルＣｈ２及びＣｈ４の音声信号をミキシングして、当該ミキシングした音声信号をルーティング回路９Ｅ内のバスＢのチャンネルＣｈ４に送出するようになされている。
【００５１】
同様にしてディスク再生制御部１０Ｂは、ハードディスク装置２内部に存在する２枚の再生用ディスクのうち、他方の再生用ディスクを制御することにより当該再生用ディスクからチャンネルＣｈ１〜Ｃｈ４の音声信号を再生し、当該チャンネルＣｈ１〜Ｃｈ４の音声信号を音声入出力／ミキサ部９のオーディオミキサ９Ｂに送出する。
【００５２】
オーディオミキサ９Ｂは、ディスク再生制御部１０Ｂから供給されるチャンネルＣｈ１〜Ｃｈ４の音声信号のうち、チャンネルＣｈ１及びＣｈ３の音声信号をミキシングして、当該ミキシングした音声信号をルーティング回路９Ｅ内のバスＢのチャンネルＣｈ３に送出すると共に、チャンネルＣｈ２及びＣｈ４の音声信号をミキシングして、当該ミキシングした音声信号をルーティング回路９Ｅ内のバスＢのチャンネルＣｈ４に送出するようになされている。
【００５３】
マイクＭＫは、ユーザの音声を集音してなるチャンネルＣｈ１及びＣｈ２の音声信号を音声入出力／ミキサ部９のオーディオミキサ９Ｃに送出する。オーディオミキサ９Ｃは、チャンネルＣｈ１の音声信号をルーティング回路９Ｅ内のバスＢのチャンネルＣｈ１及びＣｈ３に送出すると共に、チャンネルＣｈ２の音声信号をルーティング回路９Ｅ内のバスＢのチャンネルＣｈ２及びＣｈ４に送出するようになされている。
【００５４】
ところでコンピュータ３は、オペレータの操作に応じて、編集処理を実行するためのコマンドを規定した編集リスト（ＥＤＬ：Edit Decision List）を生成し、このＥＤＬに基づく制御コマンドＣ１をシステム制御部４に送出する。システム制御部４は、制御コマンドＣ１が供給されると、当該制御コマンドＣ１が示すＥＤＬからルーティング回路９Ｅのバスアサインについてのデータを抽出し、当該抽出したバスアサインのデータに基づく制御コマンドをルーティング回路９Ｅに送出する。
【００５５】
ルーティング回路９Ｅは、システム制御部４から供給される制御コマンドに基づいてバスアサインを変更し得るようになされている。すなわち図３及び図４に示すように、ルーティング回路９Ｅは、バスＢのうちチャンネルＣｈ３及びＣｈ４を介して供給される音声信号をオーディオミキサ９Ｄに送出すると共に、チャンネルＣｈ１及びＣｈ２を介して供給される音声信号をディスク記録制御部１０Ｃに送出する。
【００５６】
ディスク記録制御部１０Ｃは、ルーティング回路９Ｅ内におけるチャンネルＣｈ１〜Ｃｈ４のバスＢをそれぞれ介して供給される音声信号のうち、チャンネルＣｈ１及びＣｈ２のバスＢを介して供給される音声信号をハードディスク装置２の記録用ディスクに記録するようになされている。
【００５７】
オーディオミキサ９Ｄは、チャンネルＣｈ３のバスＢを介して供給される音声信号をモニタＭｏｎ１を通じてスピーカＳＰから外部に出力すると共に、チャンネルＣｈ４のバスＢを介して供給される音声信号をモニタＭｏｎ２を通じて出力手段としてのスピーカＳＰから外部に出力するようになされている。
【００５８】
かくして音声入出力／ミキサ部９は、ハードディスク装置２からディスク再生制御部１０Ａ及び１０Ｂを介して再生された音声信号とマイクＭＫから入力された音声信号とをスピーカから出力しながら、当該マイクＭＫから入力された音声信号のみをハードディスク装置２に記録する。
【００５９】
（３）コンピュータによるナレーション作成手順
ここでコンピュータ３によるナレーション作成手順について図５及び図６に示すフローチャートを用いて説明する。まずステップＳＰ１から入ったステップＳＰ２において、コンピュータ３は、オペレータの操作に応じて、図７に示すようなナレーション設定画面３０を表示画面に表示し、当該ナレーション設定画面３０を介してナレーションに関する各種設定を行う。
【００６０】
ナレーション設定画面３０は、「次のクリップの直前で停止」チェックボックス３１と、「プリロール再生を行う」チェックボックス３２と、「プリロール時間」テキストボックス３３と、「プリロール時間」スピンコントロール３４と、「入力」コンボボックス３５と、「トラック」コンボボックス３６とを表示するようになされている。
【００６１】
「次のクリップの直前で停止」チェックボックス３１は、チェックされると、指定されたナレーショントラック上に現れる最初のクリップのイン点までを実行範囲とする。これにより作成済のクリップに対して上書きが行われることを回避する。「プリロール再生を行う」チェックボックス３２は、チェックされると、通常数秒間のプリロール（黒と無音が出力されること）に加え、記録開始位置直前のタイムラインを数秒間再生する。これにより記録開始のタイミングを容易に判断し得る。
【００６２】
「プリロール時間」テキストボックス３３は、「プリロール再生を行う」チェックボックス３２がチェックされているときのみ有効なボックスで、記録開始位置直前のタイムライン再生時間を秒単位で指定できるものである。「プリロール時間」スピンコントロール３４は、「プリロール時間」テキストボックス３３と連動して、記録開始位置直前のタイムライン再生時間を１秒単位で変化させる。
【００６３】
「入力」コンボボックス３５は、ナレーション記録時の入力ポートをＰ１（ディスク再生制御部１０Ａ）／Ｐ２（ディスク再生制御部１０Ｂ）／Ａｕｘ（マイクＭＫ）／Ｒｅｃ（ディスク記録制御部１０Ｃ）のうちいずれかを選択し得るようになされている。「トラック」コンボボックス３６は、記録したナレーションクリップが貼り付けられるトラックをＳ１〜Ｓ４のうちいずれかを選択し得るようになされている。
【００６４】
ステップＳＰ３において、コンピュータ３は、オペレータの操作に応じて、図８に示すようなツールメニュー４０を表示して、そのうち「ナレーション作成」コマンド４０Ａを実行する。ステップＳＰ４において、コンピュータ３は、現在のタイムラインが実行可能か否か判断する。その結果、コンピュータ３は、実行不可能と判断した場合にはステップＳＰ５に移行し、実行可能と判断した場合にはステップＳＰ６に移行する。
【００６５】
ステップＳＰ５において、コンピュータ３は、実行不可能であることを示すエラーメッセージを表示する。次にステップＳＰ７に移って処理を終了する。ステップＳＰ６において、コンピュータ３は、オペレータの操作に応じて、タイムラインカーソルによって指定された位置をプレビュー開始位置として決定する。その際、タイムラインカーソル位置がギャップ（無音）であっても、その位置がプレビュー開始位置となる。また、エフェクトの途中からはプレビューできず、当該エフェクトの先頭位置がプレビュー開始位置となる。さらにタイトルクリップの途中からは実行できず、当該タイトルクリップの先頭がプレビュー開始位置となる。
【００６６】
ステップＳＰ８において、コンピュータ３は、オペレータの操作に応じて、タイムラインカーソルによって指定された位置を記録開始位置として決定する。ステップＳＰ９において、コンピュータ３は、オペレータの操作に応じて、実行範囲が既に指定されているか否か判断する。その結果、コンピュータ３は、実行範囲が指定されていないと判断した場合にはステップＳＰ１０に移行し、実行範囲が既に指定されていると判断した場合にはステップＳＰ１１に移行する。ステップＳＰ１０において、コンピュータ３は、オペレータの操作に応じて記録終了位置を決定する。コンピュータ３は、実行範囲が指定されていた場合には、当該実行範囲を記録範囲とする。
【００６７】
ステップＳＰ１１において、コンピュータ３は、各ブロックの動作を制御するためのコマンドでなるＥＤＬを生成し、当該ＥＤＬに基づいて各ブロックを制御する。その際、コンピュータ３は、音声入出力／ミキサ部９のルーティング回路９Ｅにおけるバスアサインを変更する。
【００６８】
ステップＳＰ１２において、コンピュータ３は、作成したＥＤＬに基づいてプレビューを開始するが、タイムラインカーソルが実行開始位置に到達するまでは記録は行われない。その際、コンピュータ３は、図９に示すようなオールストップ・ダイアログボックス５０を表示画面に表示することにより、実行中の動作状況を表示させる。オールストップ・ダイアログボックス５０は、ステータス表示用矢印５１Ａ〜５１Ｃと、オフセット表示用タイムコード表示領域５２と、クイットボタン５３と、オールストップボタン５４とを表示している。
【００６９】
ステータス表示用矢印５１Ａは、プリロール時に点滅する矢印であり、ステータス表示用矢印５１Ｂは、記録前の再生時には白色の点滅をし、記録中には赤色の点滅をする矢印であり、ステータス表示用矢印５１Ｃは、ポストロール時に点滅する矢印である。オフセット表示用タイムコード表示領域５２は、自動実行中にはハードディスク装置２への記録開始点からのタイムラインのオフセットが表示される。すなわち素材の位置が示される。
【００７０】
クイットボタン５３は、自動実行を直ちに停止するボタンであり、実行結果は破棄される。オールストップボタン５４は、自動実行を直ちに停止するボタンであり、クイットボタン５３と異なり、ボタン押下点までのクリップが保存されるようになされている。
【００７１】
ステップＳＰ１３において、コンピュータ３は、タイムラインカーソルが実行開始位置へ移動すると、記録を開始する。ステップＳＰ１４において、コンピュータ３は、オペレータによって例えばオールストップ・ダイアログボックス５０のオールストップボタン５４が押圧される等の記録終了指示の操作が行われると、記録を停止する。その際、コンピュータ３は、記録終了指示の操作が行われなくても、実行範囲が指定されている場合には当該実行範囲の実行を終えると記録を停止する。このように音声素材の記録開始点及び記録終了点はオペレータの操作によって任意に設定される。
【００７２】
ステップＳＰ１５において、コンピュータ３は、オールストップ・ダイアログボックス５０のオールストップボタン５４が押圧されたのか、クイットボタン５３が押圧されたのか判断し、オールストップボタン５４が押圧された場合にはステップＳＰ１６に移行し、クイットボタン５３が押圧された場合にはステップＳＰ１７に移行する。
【００７３】
ステップＳＰ１７において、コンピュータ３は、実行された素材を破棄して、ステップＳＰ１８に移って処理を終了する。ステップＳＰ１６において、コンピュータ３は、新たに音声素材（クリップ）を作成する。ステップＳＰ１９において、コンピュータ３は、作成した音声素材を貼る付けるための音声ライン、すなわちオペレータによって予め指定されているタイムライン上の音声トラックを決定する。
【００７４】
コンピュータ３は、ステップＳＰ２０において音声ラインＳ１が選択された場合、ステップＳＰ２１に移って当該音声ラインＳ１に音声素材を貼り付ける。次にステップＳＰ２２に移って処理を終了する。コンピュータ３は、ステップＳＰ２３において音声ラインＳ２が選択された場合、ステップＳＰ２４に移って当該音声ラインＳ２に音声素材を貼り付ける。次にステップＳＰ２５に移って処理を終了する。
【００７５】
コンピュータ３は、ステップＳＰ２６において音声ラインＳ３が選択された場合、ステップＳＰ２７に移って当該音声ラインＳ３に音声素材を貼り付ける。次にステップＳＰ２８に移って処理を終了する。コンピュータ３は、ステップＳＰ２９において音声ラインＳ４が選択された場合、ステップＳＰ３０に移って当該音声ラインＳ４に音声素材を貼り付ける。次にステップＳＰ３１に移って処理を終了する。
【００７６】
図１０は、新たに作成された音声素材を音声ラインＳ３に貼り付けた場合の表示画面を示す。このように編集装置１では、新規に作成された音声素材がコンピュータ３の表示画面上の指定された音声ラインＳに貼り付けられる。
【００７７】
（４）動作及び効果
以上の構成において、編集装置１では、オペレータの操作に応じて予め作成された編集リストに基づいて編集装置１における記録再生系の接続関係を制御することにより、ハードディスク装置２に記録されている音声素材を再生しながら、新たな音声素材を生成して当該生成された新規な音声素材のみをハードディスク装置２に記録して、従来のようにプレビュー用の編集装置と素材生成用の編集装置を別々に設けたり、予め新規の音声素材を独立して作成しておく必要がない。
【００７８】
以上の構成によれば、オペレータの操作に応じて編集装置１の記録再生系におけるデータの入出力関係を制御することにより、ハードディスク装置２に記録されている音声素材を再生しながら、新たな音声素材を生成して当該生成された新規な音声素材のみをハードディスク装置２に記録することができ、かくして従来に比して一段と編集作業効率を向上し得る。
【００７９】
（５）他の実施の形態
なお上述の実施の形態においては、ハードディスク装置２に記録されている音声素材を再生しながら、新たな音声素材を生成して当該生成された新規な音声素材をハードディスク装置２に記録した場合について述べたが、本発明はこれに限らず、例えばハードディスク装置２に記録されている映像素材を再生しながら、音声素材を生成してハードディスク２に記録しても良く、要は、ハードディスク装置２に記録されている素材を再生しながら、当該素材に応じた新規な素材を生成してハードディスク装置２に記録すれば良い。
【００８０】
また上述の実施の形態においては、切換手段として音声入出力／ミキサ部９を適用した場合について述べたが、本発明はこれに限らず、要は、供給される制御信号に応じて、ディスク再生制御部１０Ａ（１０Ｂ）及びマイクＭＫ並びにディスク記録制御部１０Ｃ及びスピーカＳＰの接続状態を切り換える切換手段であれば良い。
【００８１】
さらに上述の実施の形態においては、制御手段としてコンピュータ３及びシステッム制御部４を適用した場合について述べたが、本発明はこれに限らず、要は、オペレータの操作に応じて制御信号を生成し、これを音声入出力／ミキサ部９に与える制御手段であれば良い。
【００８２】
【発明の効果】
上述のように本発明によれば、ナレーションの記録を開始する記録開始位置及び記録を終了する記録終了位置をタイムラインカーソルによってタイムライン上に指定し、さらに記録開始位置から遡った位置をプレビュー開始位置として指定し、プレビュー開始位置から記録開始位置までのプリロール時に第１の印部を表示画面に点滅させ、記録開始位置から記録終了位置までのナレーション記録中は第２の印部を表示画面に点滅させ、記録終了位置以降のポストロール時に第３の印部を表示画面に点滅させることによって、オペレータにこれらの表示画面の印部を視認させながら予め選択した編集するナレーションの素材を編集先の音声ライン上の記録開始位置に貼り付けて記録するようにしたことにより、タイムライン上のプレビュー開始位置、記録開始位置、記録終了位置などを表示画面の印部で確認しながら予め選択したナレーションの素材を編集先の音声ライン上の記録開始位置に貼り付けて記録ことができるので、音声素材を再生する編集装置及び音声素材を生成する編集装置を別々に用意することなく編集効率を向上することができ、かくして編集効率の向上できる編集装置を実現することができる。
【図面の簡単な説明】
【図１】本発明による編集装置の一実施の形態を示すブロック図である。
【図２】編集装置における記録再生系の構成を示すブロック図である。
【図３】編集装置における記録再生系の構成を示すブロック図である。
【図４】編集装置における記録再生系の構成を示すブロック図である。
【図５】コンピュータによるナレーション作成手順を示すフローチャートである。
【図６】コンピュータによるナレーション作成手順を示すフローチャートである。
【図７】各種設定画面を示す略線図である。
【図８】ドロップダウンメニューを示す略線図である。
【図９】オールストップ・ダイアログボックスを示す略線図である。
【図１０】編集処理結果を示す略線図である。
【符号の説明】
１……編集装置、２……ハードディスク装置、３……コンピュータ、４……システム制御部、７……ディジタル映像音声入出力部、９……音声入出力ミキサ部、１０……ディスク制御部、１１……コントロールバス、１２……ディスプレイ、１３……マウス、１４……ＶＴＲ。
【図１】
0004016367.tif 000002
【図２】
0004016367.tif 000003
【図３】
0004016367.tif 000004
【図４】
0004016367.tif 000005
【図５】
0004016367.tif 000006
【図６】
0004016367.tif 000007
【図７】
0004016367.tif 000008
【図８】
0004016367.tif 000009
【図９】
0004016367.tif 000010
【図１０】
0004016367.tif 000011